(57)【要約】【課題】この出願発明は、すくい部が略対称形の略半円形である一対の取り分け用器具に引っかけ部を設けることにより、皿の中に取り分け用器具が滑り落ちることを防止することができる取り分け用器具を提供することを目的とする。【解決手段】この出願発明は、すくい部が略対称形の略半円形である一対の取り分け用器具であって、柄に引っかけ部が設けられている取り分け用器具に関する。【選択図】　　　図１
2004016570.tif 000002
【特許請求の範囲】
【請求項１】
すくい部が略対称形の略半円形である一対の取り分け用器具であって、柄に引っかけ部が設けられていることを特徴とする取り分け用器具。
【請求項２】
引っかけ部が柄の端部に設けられていることを特徴とする請求項１に記載の取り分け用器具。
【請求項３】
すくい部に孔が設けられていることを特徴とする請求項１または２に記載の取り分け用器具。
【請求項４】
円形の孔が設けられていることを特徴とする請求項１〜３のいずれかに記載の取り分け用器具。
【請求項５】
線状の孔が設けられていることを特徴とする請求項１〜３のいずれかに記載の取り分け用器具。
【請求項６】
一対の取り分け用器具の端部が固定されていることを特徴とする請求項１〜５のいずれかに記載の取り分け用器具。
【請求項７】
すくい部が略対称形の略半円形である一対の取り分け用器具であって、すくい部の相対する部分に凹凸部が噛み合うように設けられていることを特徴とする取り分け用器具。
【発明の詳細な説明】
【０００１】
【発明の属する技術分野】この出願発明は、すくい部が略対称形の略半円形である一対の取り分け用器具に関する。
【０００２】
【従来の技術】皿に盛られている料理を取り分ける場合には、フォークとスプーンを使用してそれぞれの皿に取り分けている。
しかし、フオークはもともと料理を突き刺して使用するものであるために、取り分ける器具としては必ずしも適していない。また、これらのフオーク及びスプーンは、使用した後に皿の上におくと料理の中に浸って汚れるという問題があつた。
【０００３】
【発明が解決しようとする課題】この出願発明は、このような問題を解決するものであり、すくい部が略対称形の略半円形である一対の取り分け用器具を利用し、さらに、取り分け用器具の柄の端部に引っかけ部を設けることにより、皿の中に取り分け用器具がすべり落ちることを防止することができることを見い出しこの出願発明を完成した。
【０００４】
【課題を解決するための手段】この出願発明は、すくい部が略対称形の略半円形である一対の取り分け用器具であって、柄に引っかけ部が設けられている取り分け用器具、および、すくい部が略対称形の略半円形である一対の取り分け用器具であって、すくい部の相対する部分に凹凸部が噛み合うように設けられている取り分け用器具に関する。
【０００５】
【作用】この出願発明の取り分け用器具は、すくい部が略対称形の略半円形となっているので、簡単に食器の中の料理を取り分けることができ、また、取り分け用器具の柄に引っかけ部が設けられており、取り分け用器具が料理に浸されることを防ぐことができるので、料理によって取り分け用器具が汚れず、安心して料理を取り分けることができる。さらに、すくい部の相対する部分に凹凸部が設けられているとさらに確実に挟むことができる。
【０００６】
【発明の実施の形態】この出願発明は、引っかけ部が柄に設けられていればよく、柄の端部でも端部以外でもよいが、柄の端部に設けられていることが好ましい。
【０００７】
この出願発明の引っかけ部は、皿などの食器の端に引っかかるようになっていればよく、柄の端を曲げても良いし、柄の端に部品を取り付けても良い。
引っかけ部の平面形状はとくに限定されないが、柄をそのまま折り曲げた柄の断面形状でもよいし、半円形、楕円形、多角形の部品でもよい。
引っかけ部は、取り分け用器具の大きさにより異なるが、５〜３０ｍｍが好ましく、１０〜１５ｍｍであることがとくに好ましい。
引っかけ部の断面形状はとくに限定されないが、柄をそのまま折り曲げたものでもよいし、半円形、楕円形、多角形でもよい。
【０００８】
引っかけ部が端部以外の場合には、端部から１０〜５０ｍｍが好ましい。
また、引っかけ部は固定されていてもよいし皿の大きさ等に合わせて移動できてもよい。
【０００９】
すくい部には、略半円形の直線部分に凹凸部があることが好ましい。
凹凸部はすくい部が噛み合うように形成されていることが好ましい。
【００１０】
この出願発明は、取り分け用器具のすくい部に孔が設けられていることが好ましい。
孔はどのような形でも良いが、円形、多角形或いは線状のものが好ましい。
また、孔は複数個設けられていることが好ましく、円形、角形の場合には、孔の直径が大きい場合には、２個以上、孔の直径が小さい場合には、５個以上設けることが好ましい。
直径は、すくい部の大きさにより異なるが、３〜６ｍｍが好ましい。
【００１１】
線状の孔の場合には、孔の形状は長方形、長円形、長多角形が好ましい。
線状の孔の場合には、孔の幅は、すくい部の大きさにより異なるが１〜３ｍｍが好ましい。また、孔の長さはすくい部の大きさにより異なるが、３〜３０ｍｍが好ましい。
孔が線状の場合には、１〜５個設けることが好ましく、２〜４個設けることが好ましい。
【００１２】
この出願発明の取り分け用器具の材料は、金属、プラスチック、木、陶磁器などが使用できるが、金属、プラスチック、木がとくに好ましい。
【００１３】
取り分け用器具は、端部が固定されて一つになっていてもよい。
また、端部が固定されている堤合は、弾力性を持っていてもよいし、弾力性を持たなくてもよい。
弾力性がある場合には、その弾力を利用してピンセットのようにして使用することができる。
【００１４】
【実施例】
以下、実施例によって、この出願発明を具体的に説明する。
図１は引っかけ部が端部にある取り分け用器具の平面図であり、図２は図１の取り分け用器具の断面図であり、図３は引っかけ部が端部から離れた部分にある取り分け用器具の断面図であり、図４は端部が一体となった取り分け用器具を示す平面図であり、図５はすくい部に噛み合うように形成された凹凸部がある取り分け用器具を示す平面図であり、図６および図７はすくい部に孔のある取り分け用器具の平面図であり、１は取り分け用器具、２はすくい部、３は柄、４は引っかけ部、５は固定部、６は凹凸部、７は孔をそれぞれ示す。
【００１５】
実施例１
全体の長さが３０ｃｍ、すくい部が６ｃｍ、柄の断面形状が長径が１ｃｍ、短径が０．３ｃｍの水平方向に扁平な長円形であり、引っかけ部が端部を折り曲げた長さが１ｃｍのステンレス製の取り分け用器具１を作成した。
このようにして作成した取り分け用器具を利用して、大きな皿に盛られた料理を小さな皿に取り分け、取り分けた後に皿の端部に引っかけ部を引っかけて取り分け用器具を固定した。
取り分け用器具は、引っかけ部により料理の中まで滑らず、しかも、引っかけ部の断面形状が水平方向に扁平な長円形であることにより水平に保つことができた。
【００１６】
実施例２
全体の長さが３０ｃｍ、すくい部が６ｃｍ、断面形状が長辺が１ｃｍ、短辺が０．３ｃｍの水平方向に扁平な長方形であり、引っかけ部の断面形状が長方形で長さが１ｃｍの木製の取り分け用器具１を作成した。
このようにして作成した取り分け用器具を利用して、大きな皿に盛られた料理を小さな皿に取り分け、取り分けた後に皿の端部に引っかけ部を引っかけて取り分け用器具を固定した。
取り分け用器具は、引っかけ部により料理の中まで滑りこまず、しかも、引っかけ部の断面形状が水平方向に扁平な長方形であることにより水平に保つことができた。
【００１７】
【発明の効果】この出願発明の取り分け用器具は、すくい部が一対になっているので、簡単に食器の中の料理を取り分けることができ、また、取り分け用器具の柄に引っかけ部が設けられており、取り分け用器具が料理に浸されることを防ぐことができるので、パーティーなどで料理の上に置き忘れても、料理によつて取り分け用器具が汚れず、つぎの人も安心して料理を取り分けることができる。
また、すくい部の相対する部分に凹凸部が設けられているとさらに確実に挟むことができる。
【図面の簡単な説明】
【図１】引っかけ部が端部にある取り分け用器具の平面図。
【図２】図１の取り分け用器具の断面図。
【図３】引っかけ部が端部から離れた部分にある取り分け用器具の断面図。
【図４】端部が一体となった取り分け用器具を示す平面図。
【図５】すくい部に噛み合うように形成された凹凸部がある取り分け用器具の平面図。
【図６】すくい部に孔のある取り分け用器具の平面図。
【図７】すくい部に線状の孔のある取り分け用器具の平面図。
【符号の説明】
１　取り分け用器具
２　すくい部
３　柄
４　引っかけ部
５　固定部
６　凹凸部
７　孔
【図１】
2004016570.tif 000003
【図２】
2004016570.tif 000004
【図３】
2004016570.tif 000005
【図４】
2004016570.tif 000006
【図５】
2004016570.tif 000007
【図６】
2004016570.tif 000008
【図７】
2004016570.tif 000009